【事件の表示】
　特許第２９２７５２３号「パチンコ機用入賞装置」の請求項１に係る特許に対する特許異議の申立てについて、次のとおり決定する。
【結　論】
　訂正を認める。
　特許第２９２７５２３号の請求項１に係る特許を維持する。
【理　由】
一、手続の経緯
　本件特許第２９２７５２３号に係る発明は、平成２年９月１４日に特許出願された特願平２−２４４７９６号に係り、平成１１年５月１４日に設定登録され、この特許に対し、特許異議申立人河井清悦（以下、「申立人」という。）より特許異議の申立てがなされ、当審において取消理由を通知したところ、その指定期間内の平成１２年１１月２２日に訂正請求がなされたものである。
　
二、訂正の適否についての判断
１．訂正の内容
　特許権者は、特許明細書を次のように訂正しようとするものである。
［訂正事項ａ］
　特許明細書の特許請求の範囲の
　「【請求項１】パチンコ球の入賞が困難又は不能な状態と、パチンコ球の入賞が容易な状態とに変化する機能を有し、かつ、入賞したパチンコ球が入る広い入賞口の一部を特別入賞口となし、さらに特別入賞口の球入口部分の広さが広狭自在に変動するように構成してなるパチンコ機用入賞装置において、前記特別入賞口の球入口部分を狭状態に変化させる強制切替手段を設け、球入口部分が広状態のときに特別入賞口へ入賞したとき前記強制切替手段を作動させ、もって特別入賞口への入賞を特別入賞口自体の動的変化で遊技者に知らせるようにしたことを特徴とするパチンコ機用入賞装置。」の記載を、
　「【請求項１】パチンコ球の入賞が困難又は不能な状態と、パチンコ球の入賞が容易な状態とに変化する機能を有し、かつ、入賞したパチンコ球が入る広い入賞口の一部を
前カバーの内側に取り付けられる可動片で区画して
可動片自体の移動により
パチンコ球の入賞が可能な広状態とパチンコ球の入賞が可能な狭状態との二状態位置で
狭状態から広状態に変動した後その
保持している
て狭状態に変動する一方特別入賞口へ入賞しなかったとき広状態を保持し
の可動片
　
［訂正事項ｂ］
　特許明細書４頁１３行〜４頁１５行の発明の詳細な説明の欄の
　「なお、球入口部分が広状態とは、パチンコ球の通貨が容易であることであり、狭状態とはパチンコ球の通過が困難又は不能な状態をいう。」の記載を
　「なお、球入口部分が広状態とは、パチンコ球の
通過
　
［訂正事項ｃ］
　特許明細書４頁１６行〜５頁７行の発明の詳細な説明の欄の
　「《課題を解決するための手段》上記の目的を達成するため本発明は、パチンコ球の入賞が困難又は不能な状態と、パチンコ球の入賞が容易な状態とに変化する機能を有し、かつ、入賞したパチンコ球が入る広い入賞口９の一部を特別入賞口９Ｖとなし、さらに特別入賞口９Ｖの球入口部分１１の広さを広狭自在に変動し得るように構成してなる入賞装置Ａにおいて、前記球入口部分１１が広状態のときに特別入賞口９Ｖへ入賞したとき、該特別入賞口９Ｖの球入口部分１１を狭状態に変化させる強制切替手段Ｂを設けた入賞装置Ａを提供するものである。」の記載を
　「《課題を解決するための手段》上記の目的を達成するため本発明は、パチンコ球の入賞が困難又は不能な状態と、パチンコ球の入賞が容易な状態とに変化する機能を有し、かつ、入賞したパチンコ球が入る広い入賞口９の一部を
前カバー４の内側に取り付けられる可動片１０で区画して
可動片１０自体の移動により
パチンコ球の入賞が可能な広状態とパチンコ球の入賞が可能な狭状態との二状態位置で
狭状態から広状態に変動した後その
保持している
　
２．訂正の目的の適否、新規事項の有無及び拡張・変更の存否
　訂正事項ａの訂正は、「特別入賞口」「球入口部分」「強制切替手段の作動」を限定的に減縮するものであるから、特許請求の範囲の減縮を目的とするものに該当する。
　訂正事項ｂの訂正は、明らかな誤記の「通貨」を「通過」に訂正するものであるから、上記訂正事項ｂの訂正は、誤記の訂正を目的とするものに該当する。
　そして、訂正事項ｃの訂正は、発明の詳細な説明の記載を訂正後の特許請求の範囲の記載と整合させるためのものであるから、上記訂正事項ｃの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の訂正に関する規定に適合するので、当該訂正を認める。
　
三、特許異議申立てについて
１．特許異議申立ての理由の概要
　申立人は下記の証拠方法を提示して、本件発明についての特許は取り消されるべきであるとして、次のように申し立てている。
［理由１］：本件発明は、甲第１号証に記載された発明であるから、本件特許は特許法第２９条第１項第３号に違反してなされたものである。
［理由２］：本件発明は、甲第１号証乃至甲第４号証に記載された発明に基いて当業者が容易に発明をすることができたものであるから、本件特許は特許法第２９条第２項の規定に違反してなされたものである。
　　　　　　　　　　　　　　　　　記
［甲第１号証］：特開昭６３−２４９５９３号公報
［甲第２号証］：特開昭６４−４９５９０号公報
［甲第３号証］：「パチンコ必勝ガイド」少年出版社、平成２年２月１日発行、、表紙、６６〜６７頁、裏表紙
［甲第４号証］：「パチンコ必勝大図鑑／パチンコ必勝ガイド１２月号増刊」少年出版社、平成１年１２月１５日発行、表紙、１５頁、裏表紙
　
２．本件発明
　本件発明は、訂正明細書の特許請求の範囲の請求項１に記載された次の事項により特定されるとおりのものである（前記二、の欄の「１．訂正の内容」の項の［訂正事項ａ］を参照）。
　「【請求項１】パチンコ球の入賞が困難又は不能な状態と、パチンコ球の入賞が容易な状態とに変化する機能を有し、かつ、入賞したパチンコ球が入る広い入賞口の一部を
前カバーの内側に取り付けられる可動片で区画して
可動片自体の移動により
パチンコ球の入賞が可能な広状態とパチンコ球の入賞が可能な狭状態との二状態位置で
狭状態から広状態に変動した後その
保持している
て狭状態に変動する一方特別入賞口へ入賞しなかったとき広状態を保持し
の可動片
　
３．甲号各証に記載の発明
［甲第１号証］には、パチンコ遊技機に関し、次の事項が記載されている。
　「（１）遊技盤面に大入賞口及び始動口を有し、遊技球が前記始動口に入賞すると前記大入賞口が所定回数の開閉動作を行い、しかも該開閉動作の間に前記大入賞口の内部に設けられた特定口に遊技球が入球すると大入賞口の開閉動作を継続することができるパチンコ遊技機において、前記特定口への遊技球の入球を検知すると信号を発する検知手段と、前記特定口を遊技球が入球容易な開状態としたり遊技球が入球困難な閉状態とする開閉手段と、前記検知手段の信号を受けると前記特定口が閉状態となるように、且つ遊技状態が予め定めた特定の状態になったときに前記特定口が開状態となるように前記開閉手段を駆動する駆動手段とを設けたことを特徴とするパチンコ遊技機。」（１頁左欄５行〜１８行）
　「第２図は大入賞口が開状態となっているときの拡大斜視図である。第２図において、１１ａ・１１ｂは可動羽根であり第１ソレノイド１２により駆動され、約９０度回動することにより大入賞口２の開状態と閉状態とを形成する。１３は大入賞口２の開閉動作を継続する権利が発生するＶ入賞口であり、１４ａ・１４ｂは通常の入賞口、１５はＶ入賞口１３の開口部を開状態または閉状態とする後述する開閉蓋の出入口である。第３図は本発明の１実施例であるパチンコ遊技機に設けられた開閉蓋の駆動部の概略斜視図である。第３図において、１３ａ・１３ｂはＶ入賞口１３の仕切板であり、２１は曲臂片、２２は第２ソレノイドである。第２ソレノイド２２が非励磁のときは、図示しないコイルバネにより第２ソレノイド２２のロッド２２ａが引き出された状態となっており、したがって開閉蓋２０は遊技盤１内に収納された状態となり、Ｖ入賞口１３の開口部は開状態となっている。しかし、第２ソレノイド２２が励磁されると、ロッド２２ａがコイルバネの付勢にさからって第２ソレノイド２２内に吸引され、したがって、開閉蓋２０は出入口１５から押し出されてＶ入賞口１３の開口部を閉状態とする。」（３頁左下欄２行〜同頁右下欄５行）
　「遊技球がＶ入賞口１３に入賞すると、Ｖ検知器Ｓ４がこれを検知して信号を可動羽根制御回路５０と開閉蓋制御回路５２に送る。」（４頁右上欄１１行〜１４行）
　「また、開閉蓋制御回路５２は大入賞口２の連続開閉動作を行う権利が発生したことを検知するＶ検知器Ｓ４からの信号を受けると、第２駆動部５３を介して第２ソレノイド２２を励磁し、遊技球がＶ入賞口１３に入賞できないように出入口１５から開閉蓋２０を押し出してＶ入賞口１３を閉状態とする。」（４頁右下欄５行〜１１行）
　「すなわち、遊技球が開状態の大入賞口２に入賞し、その遊技球が大入賞口２内の下部に設けたＶ入賞口１３に入賞すると、Ｖ検知器Ｓ４が検知信号を可動羽根制御回路５０と開閉蓋制御回路５２に送り、大入賞口２の開閉動作を継続する権利が発生し、ラウンド表示器３が「１」を表示すると共に、開閉蓋２０が押し出されてＶ入賞口１３は閉状態となる。」（５頁右上欄９行〜１６行）
　「また、上記の本実施例では、Ｖ入賞口への遊技球の入賞を阻止する手段として、開閉蓋を用いた場合について説明したが、本発明はこれに限定されるものではなく、たとえば、これはＶ入賞口の上部に開閉扉を配置してもよいし、Ｖ入賞口の仕切板の両方又は一方を内方向に傾けることにより、Ｖ入賞口の開口部を閉状態にしてもよい。尚、Ｖ入賞口の閉状態として、遊技球が入球できない場合について説明したが、この閉状態は、遊技球が入球できない場合に限られるわけではなく、Ｖ入賞口の開口部を開状態のときよりも狭くし、遊技球の入球は可能であるが、開状態のときよりも遊技球が入球し難い状態としてもよい。」（６頁右上欄３行〜１５行）
　
［甲第２号証］には、パチンコ機に関し、次の事項が記載されている。
　「遊技盤の表面にガイドレールで囲んだ遊技部を形成し、該遊技部内に、打球を受け入れない第１状態と打球を受け入れ易い第２状態とに変換可能な可動球受部材と、該可動球受部材が受け入れた打球を入賞とする一般入賞口並びに特別入賞口と、該特別入賞口に入賞する確率に変化を与える確率制御部材とを少なくとも備えた中央入賞装置と、打球が入賞すると、該打球を特定入賞検出器により検出して電気的制御装置に信号を送る特定入賞口と、を配設し、上記した特定入賞検出器から信号を受けた電気的制御装置により中央入賞装置の可動球受部材を第１状態から第２状態に変換し、打球が特別入賞口に入った打球を検出する特別入賞検出器からの信号により可動球受部材の状態を変換する特別遊技を行わせ、該特別遊技において確率制御部材を作動することにより特別遊技中における特別入賞口への入賞確率を制御するようにしたことを特徴とするパチンコ機。」（１頁左欄５行〜同頁右欄４行）
　「凹室１３の下部中央に特別入賞口１５を、該特別入賞口１５の左右に一般入賞口１６、１６を夫々前向に開設し、特別入賞口１５の左右には確率制御部材１７を回動自在に臨ませてなる。」（２頁右下欄８行〜１２行）
　「左右の可動球受部材１１、１１は、常には第２図実線で示すように、開ロ部９の前方に相互に近づいて左側の可動球受部材１１の突部１８が鎧部１０の左側下端と阻止壁１２の左側上端との間の左球通過部１９に、右側の可動球受部材１１の突部１８が鎧部１０の右側下端と阻止壁１２の右側上端との間の右球通過部２０に夫々停止し、左右の球通過部１９、２０の有効高さを球径よりも小さくする。したがって、この状態では流下してきた打球が球通過部１９、２０を通過することができず、打球を特別入賞口１５や一般入賞口１６に入ることを阻止する第１状態となる。一方、第１駆動源の駆動により左右の可動球受部材１１、１１が夫々外側に移動すると、第２図点線で示すように、左側の可動球受部材１１の突部１８が左球通過部１９から外れて鎧部１０の左側に大きく突出するとともに、右側の可動球受部材１１の突部１８が右球通過部２０から外れて鎧部１０の右側に大きく突出する。したがって、この状態では流下してきた打球を可動球受部材１１、１１上に受け止めて球通過部１９、２０を通過させ、特別入賞口１５や一般入賞口１６に入賞させる第２状態となる。なお、本実施例における可動球受部材１１により受け止められた球は、球通過部１９、２０を通過した後、一旦凹室１３内に入ってから底面上を開口部９に向かって転動し、特別入賞口１５又は一般入賞口１６に入賞するものと、可動球受部材１１の端部から直接特別入賞口１５又は、一般入賞口１６に入賞するものとがある。確率制御部材１７は、特別入賞口１５の上方左右に支持軸２１、２１を回動自在に突設し、下端に装飾部２２を形成した縦部材２３の長さの途中を上記支持軸２１の先端に固定し、支持軸２１の上方に位置する縦部材２３の上端には球振分け部材２４を支持軸２１とほぼ平行に設け、支持軸２１の下方に位置する部分から後方に突設した駆動軸２５を取付基板８の裏側に配設してある略楕円形のカム２６にスプリング２７により圧接してなる。取付基板８の裏側に設けたモータ２８の作動によりカム２６を回転し、駆動軸２５の後端部分がカム２６の長径部分に圧接すると、第３図及び第４図実線で示すように、左右の球振分け部材２４、２４の間隔Ｌ１が最小となる。したがって、球が左右の球振分け部材２４、２４間を通る確率、即ち球が特別入賞口１５に入る確率が最小になる。そして、カム２６がほぼ９０度回転して駆動軸２５の後端部分がカム２６の短径部分に圧接すると、第４図点線で示すように、左右の球振分け部材２４、２４の間隔Ｌ２が最大となる。したがって、球が左右の球振分け部材２４、２４を通る確率、即ち球が特別入賞口１５に入る確率が最大となる。この様に、カム２６を回転すると、左右の球振分け部材２４、２４の間隔が拡大したり、縮小したりするので、この間隔に応じて特別入賞口１５への入賞確率を制御することができる。」（２頁右下欄１７行〜３頁左下欄１４行）
　「また、或るサイクルにおいて予め設定した状態（本実施例では一般入賞口１６に球が５個入るか又は当該サイクルが開始されてから１０秒間が経過したとき）になると、モータ２８がカム２６を回転して左右の確率制御部材１７、１７の間隔をＬ１からＬ２の間で変化させることにより特別入賞口１５への入賞確率を高めるとともに、一般入賞口１６への入賞確率を低める。即ち、予め設定した状態になると、特別入賞口１５に球が入る確率を高めることにより次のサイクルへ移り易くして、遊技者にとって有利な特別遊技の続行を容易ならしめる。なお、球が特別入賞口１５に入ってサイクルの更新が行われると、電気的制御装置がモータ２８の作動を停止して左右の確率制御部材１７、１７を間隔をＬ１の状態で停止する。」（４頁右下欄８行〜５頁左上欄３行）
　
［甲第３号証］には、次の事項が記載されている。
　「このウォーリアーのＶゾーンはザックリ割れるモモタロー風だ。見た目ではあまり大きくなったようには見えないが、これがけっこうたのもしい。」（６６頁本文６行〜９行）
　「羽根の開閉は、１、２チャッカーそれぞれ０．４５秒と０．６秒と平均的で玉の寄りはそれほど悪くはない。」（６７頁本文１段３行〜５行）
　「Ｖゾーンの動きで継続率は大幅アップだ！！　役物の構造を説明すると、中央にはバズーカをかまえたウォーリアーがデンと立ちはだかっている。羽根に拾われた玉は小さな上段ステージを通るか、そのまま直接下段に落ちる。ウォーリアーは足を開いて立っている。玉が足の外側へ落ちればそのまま左右のハズレ穴に取られる事が多い。一方、開いた足の間に落ちた玉は、真っすぐ転がってくればＶゾーンが待っている。しかも足の間の奥の部分には、玉を真っすぐＶゾーンに誘導するガードがあり、うまくこの部分に玉が入れば、Ｖ入賞はほぼ確実だ。大当たりになるとウォーリアーが前進。上段ステージからの玉を左右に落としやすくする。これにより早期の再Ｖ入賞を防いでいる訳だ。５カウントすると、今度は前進、後退と目まぐるしく動き始め、同時にＶゾーンが中央から割れる感じで伸縮を繰り返す。さらに７カウントとするとウォーリアーは後退して静止し、玉のスムーズなＶ入賞を助けるのだ。」（６７頁本文２段５行〜３段１４行）
　「大当たり後半にはＶゾーンがパックリと割れ、玉のＶ入賞率は一気に高まり、継続は良好。大当たり前半はウォーリアが前進し玉を左右に誘導する。これにより早期の再Ｖ入賞を防ぐ事ができる。」（６７頁上段写真説明文）　
　
［甲第４号証］には、「兄弟のちんどんショーはＶゾーンが広がったり、羽根の開閉角が大きくなったり（１回開きの時）します。」（１５頁左上段写真説明文８行〜１０行）が記載されている。
　
４．当審の判断
（１）理由１（特許法第２９条第１項第３号違反）について
　本件発明と甲第１号証に記載の発明とを対比すると、甲第１号証には、本件発明の少なくとも「球入口部分が狭状態から広状態に変動した後その広状態を保持しているときに・・・特別入賞口へ入賞しなかったとき広状態を保持し、」の点が記載されてなく、また示唆する記載もない。そして、本件発明は、前記構成により明細書に記載の効果を奏するものと認められる。
　したがって、本件発明が上記甲第１号証に記載された発明である、ということはできない。
　
（２）理由２（特許法第２９条第２項違反）について
　本件発明と甲第１号証ないし甲第４号証に記載の発明とを対比する。
　まず、甲第１号証には、本件発明の少なくとも「球入口部分が狭状態から広状態に変動した後その広状態を保持しているときに・・・特別入賞口へ入賞しなかったとき広状態を保持し、」の点が記載されてなく、また示唆する記載もないことについては、上記「（１）理由１」において前述したとおりである。
　また、甲第２号証ないし甲第４号証のいずれにも、本件発明の少なくとも「球入口部分が狭状態から広状態に変動した後その広状態を保持しているときに・・・特別入賞口へ入賞しなかったとき広状態を保持し、」の点が記載されてなく、また示唆されてもいない。そして、本件発明は、前記構成により明細書に記載の効果を奏するものと認められる。
　したがって、本件発明が上記甲第１号証ないし甲第４号証に記載された発明に基づいて当業者が容易に発明をすることができたものである、とすることはできない。
　
５．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年４月３日（２００１．４．３）
【訂正の要旨】
訂正の要旨
［訂正事項ａ］
　特許明細書の特許請求の範囲の
　「【請求項１】パチンコ球の入賞が困難又は不能な状態と、パチンコ球の入賞が容易な状態とに変化する機能を有し、かつ、入賞したパチンコ球が入る広い入賞口の一部を特別入賞口となし、さらに特別入賞口の球入口部分の広さが広狭自在に変動するように構成してなるパチンコ機用入賞装置において、前記特別入賞口の球入口部分を狭状態に変化させる強制切替手段を設け、球入口部分が広状態のときに特別入賞口へ入賞したとき前記強制切替手段を作動させ、もって特別入賞口ヘの入賞を特別入賞口自体の動的変化で遊技者に知らせるようにしたことを特徴とするパチンコ機用入賞装置。」
の記載を、
　特許請求の範囲の減縮を目的として、
　「【請求項１】パチンコ球の入賞が困難又は不能な状態と、パチンコ球の入賞が容易な状態とに変化する機能を有し、かつ、入賞したパチンコ球が入る広い入賞口の一部を
前カバーの内側に取り付けられる可動片で区画して
可動片自体の移動により
パチンコ球の入賞が可能な広状態とパチンコ球の入賞が可能な狭状態との二状態位置で
狭状態から広状態に変動した後その
保持している
て狭状態に変動する一方特別入賞ロへ入賞しなかったとき広状態を保持し
の可動片
と訂正する。
［訂正事項ｂ］
　特許明細書４頁１３行〜４頁１５行の発明の詳細な説明の欄の
　「なお、球入口部分が広状態とは、パチンコ球の通貨が容易であることであり、狭状態とはパチンコ球の通過が困難又は不能な状態をいう。」
の記載を、
　誤記の訂正を目的として、
　「なお、球入口部分が広状態とは、パチンコ球の
通過
と訂正する。
［訂正事項ｃ］
　特許明細書４頁１６行〜５頁７行の発明の詳細な説明の欄の
　「《課題を解決するための手段》上記の目的を達成するため本発明は、パチンコ球の入賞が困難又は不能な状態と、パチンコ球の入賞が容易な状態とに変化する機能を有し、かつ、入賞したパチンコ球が入る広い入賞口９の一部を特別入賞口９Ｖとなし、さらに特別入賞口９Ｖの球入口部分１１の広さを広狭自在に変動し得るように構成してなる入賞装置Ａにおいて、前記球入口部分１１が広状態のときに特別入賞口９Ｖへ入賞したとき、該特別入賞口９Ｖの球入口部分１１を狭状態に変化させる強制切替手段Ｂを設けた入賞装置Ａを提供するものである。」
の記載を、
　明りょうでない記載の釈明を目的として、
　「《課題を解決するための手段》上記の目的を達成するため本発明は、パチンコ球の入賞が困難又は不能な状態と、パチンコ球の入賞が容易な状態とに変化する機能を有し、かつ、入賞したパチンコ球が入る広い入賞口９の一部を
前カバー４の内側に取り付けられる可動片１０で区画して
可動片１０自体の移動により
パチンコ球の入賞が可能な広状態とパチンコ球の入賞が可能な狭状態との二状態位置で
狭状態から広状態に変動した後その
保持している
と訂正する。
（５４）【発明の名称】
パチンコ機用入賞装置
（５７）【特許請求の範囲】
　【請求項１】　パチンコ球の入賞が困難又は不能な状態と、パチンコ球の入賞が容易な状態とに変化する機能を有し、かつ、入賞したパチンコ球が入る広い入賞口の一部を
前カバーの内側に取り付けられる可動片で区画して
の可動片自体の移動により
パチンコ球の入賞が可能な広状態とパチンコ球の入賞が可能な狭状態との二状態位置で
　前記特別入賞口の球入口部分を狭状態に変化させる強制切替手段を設け、球入口部分が
狭状態から広状態に変動した後その
を保持している
て狭状態に変動する一方特別入賞口へ入賞しなかったとき広状態を保持し
の可動片
【発明の詳細な説明】
《産業上の利用分野》
　本発明は、遊技部のほぼセンターに配置される比較的大型のパチンコ機用入賞装置（以下単に入賞装置という）に関する。
《従来の技術》
　従来この種大型の入賞装置には例えば、
　遊技板の遊技部に打ち込まれたパチンコ球を受け入れる入賞開口と、
　該入賞開口を開閉する一対の開閉片と、
　この開閉片を開閉動作させる電気的駆動装置と、
　入賞開口に入ったパチンコ球を受け入れ、その一部を特別入賞口にした広い入賞口と、
　遊技部に別途設けた始動チャッカーへの入賞により、前記電気的駆動装置が作動して開閉片を１回又は２回開動作させ、このとき入賞開口に飛び込んだパチンコ球が特別入賞口に入賞すると「大当り」となって１０個のパチンコ球が入賞するまで１８回を限度に開閉片を開閉動作させ、さらに、その間に特別入賞口に入賞すると８回を限度として大当り状態、を更新せしめる所謂飛行機タイプのもの等がある。
　以下、飛行機タイプの入賞装置を例にとってこの発明を説明する。
《発明が解決しようとする課題》
　前記従来の入賞装置において、特別入賞口の球入口部分の広さを広狭自在に変動し得るようにしたものが公知である。
　この従来の入賞装置は、大当り状態の当初には球入口部分を狭状態にして特別入賞口への入賞確率を低くし、大当り状態の終盤になってから球入口部分を広状態に変化させて特別入賞口への入賞確率を高め、もって遊技者に大当りの利益を有効に享受せしめるようにしている。
　しかし、従来の入賞装置における特別入賞口は、球入口部分が一旦広がると、次の更新動作に切替わるまで球入口部分を狭状態に戻す手段を特に設けていない。
　そのため特別入賞口にパチンコ球が入賞しても次の更新動作に移るまでの間、特別入賞口の球入口部分が広がったままであるから、常に特別入賞口に注意していなければ特別入賞口への入賞が分からない。特別入賞口にパチンコ球が入賞して次の更新動作に移るまでの時間は極短いが、その間に次の大当りの動作タイミングに合わせて準備を行なう等、特別入賞口への入賞情報は遊技者にとって重要なものである。
　ところが、現在のパチンコ機の遊技内容は多様化・複雑化の傾向にあり、特別入賞口の一点にのみ注意を集中していては十分に遊技を満喫できないものが多く、従って、特別入賞口への入賞を見逃す虞があった。
　このような課題を解決するための手段として特別入賞口への入賞を表示する表示ランプを設けたものもあるが、他のランプの点滅と紛らわしい。
　そこで本発明は、特に注意を集中しなくとも一見して特別入賞口への入賞が明瞭になる入賞装置を提供することを目的とする。
　なお、球入口部分が広状態とは、パチンコ球の
通過
《課題を解決するための手段》
　上記の目的を達成するため本発明は、パチンコ球の入賞が困難又は不能な状態と、パチンコ球の入賞が容易な状態とに変化する機能を有し、かつ、入賞したパチンコ球が入る広い入賞口９の一部を
前カバー４の内側に取り付けられる可動片１０で区画して
の可動片１０自体の移動により
パチンコ球の入賞が可能な広状態とパチンコ球の入賞が可能な狭状態との二状態位置で
狭状態から広状態に変動した後その
を保持している
《作用》
　大当り状態で特別入賞口９Ｖの球入口部分１１が広状態になると特別入賞口９Ｖへの入賞確率が高まり、パチンコ球が入賞し易くなる。
　そして、球入口部分１１が広状態になった特別入賞口９Ｖにパチンコ球が入賞すると、強制切替手段Ｂが作動して球入口部分１１が狭状態に変化する。
　これによって特別入賞口への入賞が遊技者に一目で判かる。
《実施例》
　以下に本発明の実施例を図面を参照しつつ説明する。
（実施例１）
　第１図乃至第４図は実施例１を示すものである。
　遊技板１の前面に固着する取付基盤２は、大きな開口３を有し、その前面側に該開口３の下半部を囲う前カバー４と、開口３の上縁に突設した庇片５及び開口３の上半部側縁の入賞開口６を塞ぐようにした一対の開閉片７，７を設けたものである。
　前記前カバー４は、全体が透明な合成樹脂製であるが、開口３の下半部の視認性をさらに良くするために窓孔８が形成されている。そして前カバー４は、該窓孔８の下に広い入賞口９を形成してなる。該入賞口９は、一対の可動片１０，１０によって３つに区画され、この可動片１０，１０に挟まれた部分が特別入賞口９Ｖであり、可動片１０，１０の間の上部が球入口部分１１となる。可動片１０，１０は、夫々軸１２，１２によって前カバー４の内側に回動可能に取付けられており、強制切替手段Ｂである作動レバー１５によって第２図実線の起立姿勢と同図鎖線の開いた傾動姿勢とに切替制御される。
　すなわち、可動片１０は、内部の重錘１４によって支えのない自由状態で外向き回動するようにバランスされている。
　一方、作動レバー１５は、先端に二股状の爪片１５ａ，１５ｂを有する板状の胴部１５ｂと、該胴部１５ｂの一側縁から垂下する球受け片１５ｃと、胴部１５ｂの後端下面に固設した磁石１５ｄと、胴部１５ｂのほぼ中央を取付基盤２の裏枠板１６に枢着する軸１５ｅと、作動レバー１５の重心を前側に置くためのバランスウェイト１５ｆと、胴部１５ｂの後端側面から前記裏枠板１６の外側に突出するピン１５ｇとからなり、常態では第３図実線の水平位置にあって爪片１５ａを可動片１０の軸１２より下側に係合させ、そうして可動片１０を起立姿勢にロックしている。また、作動レバー１５は、裏枠板１６の外側面に設けたソレノイド１７の励磁によってピン１５ｇを介して後端が押し下げられると、爪片１５ａが可動片１０から外れてロックを解除し、自重により可動片１０を傾動させる。一旦傾動した作動レバー１５は、ソレノイド１７が消磁しても後端の磁石１５ｄが裏枠板１６に横設した磁性杆１８に吸着してそのままの姿勢を保持する。そして、開いた可動片１０，１０間にパチンコ球が入ると、その球が可動片１０，１０を起立させながら球受け片１５ｃに載り、作動レバー１５を強制的に回動させる。こうして水平姿勢に復動した作動レバー１５によって可動片１０，１０が起立姿勢にロックされる。
　その他、特別入賞口９Ｖには裏枠板１６の下端に球検出スイッチ１９が設けられている。
　前記開閉片７，７は、下端裏側に長軸２０を突設したもので、該長軸２０を取付基盤２に回転自在に挿通せしめてなり、第２図実線の起立姿勢から同図鎖線の傾動姿勢の間で回動自在である。該開閉片７は、長軸２０の後端にクランク部材２１を固着し、このクランク部材２１を後述する裏カバー２４の後側に配置したソレノイド２２のプランジャー２３に係合させたもので、ソレノイド２２が消磁（プランジャー２３が下動）した状態で開閉片７が起立し、ソレノイド２２が励磁（プランジャー２３が上昇）した状態で開閉片７が傾動するように設定されている。
　前記取付基盤２の裏面側には、開口３を囲うように裏カバー２４が固着されている。該裏カバー２４の内部空間は、前記前カバー４の上縁から奥に向かって下り傾斜状に固定された中仕切り板２５によって上下の部屋に区画されている。この中仕切り板２５と裏カバー２４の後壁２４ｒとの間には、パチンコ球が通過可能な空間Ｓが形成されており、入賞開口６に入ったパチンコ球が該空間Ｓを通って下の部屋に落下する。
　裏カバー２４の底壁２４ｆは、奥から前に向かって下り傾斜状に形成され、その前縁が前記前カバー４の入賞口９の上縁に臨んでおり、中仕切り板２５から落下したパチンコ球が該底壁２４ｆ上を転がって入賞口９に入賞する。
　その他図面中、２６，２６…は中仕切り板２５及び裏カバー２４に立設した球流下経路変更用の障害ピン、２７は入賞口９への入賞個数を表示するセグメント表示器、２８は大当りの更新回数を表示する回数表示部、２９はソレノイド２２の取付板である。
　このように構成された入賞装置Ａは、制御装置（図示せず）によってソレノイド１７，２２、セグメント表示器２７等が制御される。
　なお、入賞装置Ａには、図示しないが入賞口９への入賞個数を計数して制限するための入賞球検出スイッチが設けられている。
　本実施例の入賞装置Ａは、第４図に示したように遊技部１ａのほぼ中央に設置して使用するものである。一方、その下側に配設した３個の始動チャツカー３０，３０，３０は前記制御装置に接続されている。
　次に動作説明をする。
　先ず、入賞装置Ａが作動していない通常の状態においては、ソレノイド２２が消磁していてプランジャー２３が下がっているため、開閉片７，７が起立し入賞開口６を閉ざしている。
　また、可動片１０は、作動レバー１５が水平位置にあって起立姿勢でロックされている。
　さて、パチンコ球が始動チャッカー３０，３０，３０のいずれかに入賞すると制御装置からの指令信号を受けてソレノイド２２が作動し、プランジャー２３が上昇して開閉片７，７を１回または２回傾動させる。この開閉片７，７の傾動により入賞開口６が短時間開き、この状態でのみパチンコ球が入賞開口６に入り得る。
　そして、入賞開口６にパチンコ球が入ると、このパチンコ球は空間Ｓを通って下の部屋に落下し、障害ピン２６にぶつかりながら進路を変え、最終的に入賞口９のいずれかの区画に入賞する。
　しかして、前記パチンコ球が特別入賞口９Ｖに入賞すると、その入賞信号が球検出スイッチ１９から制御装置に送られる。この信号を受けた制御装置は「大当り」のプログラムを実行し、入賞装置Ａを次のように作動させる。
▲１▼ソレノイド２２を間欠的に作動させ、開閉片７，７の開閉動作をスタートさせる。
▲２▼入賞口９への入賞個数が５個になるか、又は、開閉片７，７の開閉回数が終了間近（例えば１４回）になるとソレノイド１７が瞬間的に作動し、ピン１５ｇを介して作動レバー１５の後端を押し下げる。これにより作動レバー１５は爪片１５ａが上昇した傾動姿勢となり、支えを失った可動片１０が自重で傾動して球入口部分１１が広がる。
▲３▼ソレノイド２２は、開閉片７，７の開閉回数が１８回になったとき、又は、パチンコ球の入賞個数が１０個になったとき、又は、特別入賞口９Ｖにパチンコ球が入賞したとき停止する。なお、特別入賞口９Ｖにパチンコ球が入賞すると、その球重量により可動片１０が起立し、さらに作動レバー１５が水平姿勢に復動して可動片１０を起立姿勢でロックし、もって球入口部分１１を強制的に狭状態に変化させる。
▲４▼特別入賞口９Ｖにパチンコ球が入賞すると制御装置に入賞信号が送られて「大当り」の権利が更新され、▲１▼〜▲３▼の動作を新たに繰返す。この更新は８回まで可能である。なお、８回目の更新時には、可動片１０を傾動させず、開閉片７，７の開閉回数が１８回、又は、パチンコ球の入賞個数が１０個になったときに入賞装置Ａの作動が終了する。
▲５▼開閉片７，７が１８回開閉するまでの間に特別入賞口９Ｖに入賞しないか、又は、パチンコ球が１０個入賞するまでの間に特別入賞口９Ｖに入賞しない場合には入賞装置Ａの作動が終了し、開閉片７，７が起立して入賞開口６を閉じる。なお、可動片１０が傾動して開いた状態で入賞装置Ａの作動が終了しても、本実施例ではこのような開状態にある可動片１０を強制的に閉じる手段を設けていない。従って、遊技者が大当りの利益を十分に享受しない状態で入賞装置Ａの作動が終了しても、特別入賞口９Ｖの球入口部分１１が広く開いているため、次の機会に大当りとなる確率が高くなり、遊技者の利益救済を図ることができるのである。
（実施例２）
　第５図乃至第７図は実施例２を示すものである。
　前記実施例１の強制切替手段Ｂが球重量により作動する作動レバー１５であったのに対し、この実施例２は、強制切替手段Ｂを電気的に制御するものを例示する。
　入賞口９は、前カバー４の下半部を上半部から分離させてポケット状になし、該下半部を中心から左右に二分割してスライドポケット４０ａ，４０ｂを形成し、さらにこのスライドポケット４０ａ，４０ｂを取付基盤２に対して水平方向に摺動自在に取付けて構成される。そして、左右夫々のスライドポケット４０ａ，４０ｂは、取付基盤２の裏側に突出させた夫々の腕片４１ａ，４１ｂ間にスプリング４２を張設し、該スプリング４２の張力により常態で両者が突き合せ状に一体化されるようになっている。また、前記腕片４１ａ，４１ｂは、夫々リンク４３ａ，４３ｂを介してソレノイド４４に連結されている。このソレノイド４４は、両スライドポケット４０ａ，４０ｂをスライドさせる駆動源であり、ソレノイド４４を作動させることによりリンク４３ａ，４３ｂが第７図鎖線のように開いてスライドポケット４０ａ，４０ｂを左右に拡開させる（第５図鎖線）。可動片１０，１０は、スライドポケット４０ａ，４０ｂの内側に一体化されているため、該スライドポケット４０ａ，４０ｂの拡開により球入口部分１１が広がる。
　ソレノイド４４は、制御装置により制御されるもので、前記実施例１の動作説明▲２▼で述べたソレノイド１７と同じタイミングで作動を開始し、球検出スイッチ１９によって入賞球が検出されるまで作動を続ける。
　この実施例２の動作は、前記実施例１の動作に対して、球入口部分１１の狭状態への変化を球重量で行なうか電気的に行なうかの相違があるのみであり、その他は前記実施例１の動作説明▲１▼〜▲５▼までと同じである。
　なお、実施例１，２について、球入口部分１１が広状態のまま入賞装置Ａが作動を終了した場合に、これを強制的に狭状態に切り替える手段をさらに付加してもよい。
（実施例３）
　第８，９図は実施例３を示すものである。
　前記実施例１，２は、可動片１０自体の動きによって球入口部分１１の広さを変化させたものであるが、実施例３では前記可動片１０に相当する仕切片５０，５０が前カバー４に一体の固定式であって、該仕切片５０，５０の間のストッパー５１を出没させ、該ストッパー５１によって球入口部分１１の広さをパチンコ球が通過可能な状態とパチンコ球が通過不能な状態とに切替え得るようにしたものである。
　ストッパー５１は、裏カバー２４の底面に前後方向に摺動自在に設けられ、その先端が取付基盤２を貫通して仕切片５０，５０の中心に臨んでいる。また、該ストッパー５１の後端の横長溝５３にはモータ５２のクランク板５４が係合しており、クランク板５４の回転によってストッパー５１が前後方向に摺動する。このモータ５２は、前記制御装置によって制御されるもので、制御装置のプログラムに入力された条件に従って始動し、裏カバー２４の底面に設けたマイクロスイッチ５５の信号によって停止する。マイクロスイッチ５５は、アクチュエータ片５５ａをストッパー５１の上面に摺接させたものであり、該ストッパー５１の凹部５１ａの始点と終点を検知して、ストッパー５１が最も前進した第９図鎖線の位置と、最も後退した同図実線の位置とで夫々モータ５２の停止信号を発する。なお、ストッパー５１は、最も前進した状態でパチンコ球を受け止め、仕切片５０，５０の問にこのパチンコ球を留保し、該留保状態で特別入賞口９Ｖに入るべく流れてきたパチンコ球が入賞口の左右に振り分けられる。
　次に動作説明をする。
　先ず、前記実施例１と同様に、入賞装置Ａが作動していない通常の状態においては、開閉片７，７が起立して入賞開口６を閉ざしているが、パチンコ球が始動チャッカー３０，３０，３０のいずれかに入賞すると開閉片７，７が１回または２回傾動する。
　そして、入賞開口６に入ったパチンコ球が特別入賞口９Ｖに入賞すると、制御装置は「大当り」のプログラムを実行し、入賞装置Ａを次のように作動させる。
▲１▼ソレノイド２２を間欠的に作動させ、開閉片７，７の開閉動作をスタートさせる。
▲２▼モータ５２を駆動させ、第９図実験の後退位置にあったストッパー５１を前進させる。該ストッパー５１が最前進位置に至るとマイクロスイッチ５５が作動してモータ５２が停止する。この状態で特別入賞口９Ｖにパチンコ球が入るべく流れてくると、最初のパチンコ球１個だけがストッパ５１に止められて留保される。
▲３▼ストッパー５１は、開閉片７，７の開閉回数が１７回になったとき、又は、入賞口９へのパチンコ球の入賞個数が９個になったときモータ５２が始動して後退し、もしストッパー５１上にパチンコ球が留保されていれば特別入賞口９Ｖへの入賞球として処理される。
▲４▼特別入賞口９Ｖにパチンコ球が入賞すると制御装置に入賞信号が送られて「大当り」の権利が更新され、▲１▼〜▲３▼の動作を新たに繰返す。この更新は８回まで可動である。なお、８回目の更新時には、ストッパー５１を前進させず、開閉片７，７の開閉回数が１８回、又は、入賞口９へのパチンコ球の入賞個数が１０個になったときに入賞装置Ａの作動が終了する。
▲５▼開閉片７，７が１８回開閉するまでの間に特別入賞口９Ｖに入賞しないか、又は、入賞口９ヘパチンコ球が１０個入賞するまでの間に特別入賞口９Ｖに入賞しない場合には、ストッパー５１を後退位置に戻し、開閉片７，７を起立させて入賞開口６を閉じて入賞装置Ａの作動を終了する。
　なお、上記実施例１〜３で説明した大当りの作動は一つの例示であり、言うまでもなくこれらに限定されるものではない。例えば、可動片１０の作動タイミングや、ストッパー５１による留保球の解放タイミングは、遊技内容に応じて自由に設定すればよい。
　また、本実施例は飛行機タイプのものについて説明したが、例えば複数の図柄や絵柄の組合わせにより大当り状態にするタイプの入賞装置についても適用できる。
《発明の効果》
　以上のように本発明の入賞装置Ａによれば、大当りの動作中において、球入口部分１１が広状態である特別入賞口９Ｖにパチンコ球が入賞すると、強制切替手段Ｂが働いて球入口部分１１が狭状態に変化するため、第一に球入口部分１１の変化がパチンコ球の動きより大きくて目立ち易いこと、第二に仮に特別入賞口９Ｖへの入賞の瞬間を見逃しても特別入賞口９Ｖが狭状態、に変化して入賞の形跡が残っていること、等により遊技者から見て非常に判かり易い。
　従って、従来の入賞装置Ａのように特別入賞口９Ｖに注意を集中しておく必要がなくなり、バラエティーに富んだパチンコ遊技を十分に満喫することができる効果がある。
【図面の簡単な説明】
第１図乃至第４図は実施例１を示すもので、第１図は斜視図、第２図は一部を断面にして示す正面図、第３図は縦断面図、第４図はパチンコ機の正面図である。
第５，６図は実施例２を示すもので、第５図は一部を断面にして示す正面図、第６図は縦断面図である。
第７図乃至第９図は実施例３を示すもので、第７図は一部を断面にして示す正面図、第８図は縦断面図、第９図は第８図のＸ−Ｘ線断面図である。
９……入賞口、９Ｖ……特別入賞口、１１……球入口部分、
Ａ……パチンコ機用入賞装置、Ｂ……強制切替手段。